(57)【要約】【課題】比較的簡単な構造であるにもかかわらず、装飾部品が有する貫通孔の良否を短時間で確実に判別できる遊技機部品用検査器具を提供すること。【解決手段】本発明の遊技機用部品検査器具６１は、遊技機の遊技盤１１に固定される台板４３の所定箇所に複数の貫通孔４４が形成された装飾部品４１を検査対象とする。部品検査器具６１は、ベース部材６３と複数の棒状部材６２とを備える。ベース部材６３は、検査対象とする装飾部品４１の台板４３と同形状をなし、複数の貫通孔４４と同位置にそれらと同径の複数の孔６４を有する。複数の孔６４には、複数の棒状部材６２の基端側が挿通固定される。棒状部材６２の先端側は、ベース部材６３から垂直に突設されている。そして、この部品検査器具６１によれば、複数の貫通孔４４の良否の判別が可能となる。【選択図】  図５
2014100237.tif 000002
【特許請求の範囲】
【請求項１】
遊技機の遊技盤に固定される台板の所定箇所に複数の貫通孔が形成された装飾部品を検査対象とし、前記複数の貫通孔の良否を判別するために用いられる遊技機用部品検査器具であって、
検査対象とする前記装飾部品の前記台板と同形状をなし、前記複数の貫通孔と同位置にそれらと同径の複数の孔が形成されたベース部材と、複数の棒状部材とを備え、前記複数の孔に前記複数の棒状部材の基端側が挿通固定されるとともに、前記棒状部材の先端側が前記ベース部材から垂直に突設されていることを特徴とする遊技機用部品検査器具。
【請求項２】
前記部品検査器具を構成する前記ベース部材は、前記ベース部材よりも面積が大きい平板状の土台部材に支持固定されることを特徴とする請求項１に記載の遊技機用部品検査器具。
【請求項３】
前記土台部材は、前記遊技盤を構成する盤面部材であり、前記装飾部品は、検査対象とする前記装飾部品が前記盤面部材において本来固定される位置と同位置に固定されることを特徴とする請求項２に記載の遊技機用部品検査器具。
【請求項４】
前記土台部材には、前記装飾部品との接触に基づいて前記複数の貫通孔の良否を報知する報知手段を構成する報知用スイッチが配設されていることを特徴とする請求項２または３に記載の遊技機用部品検査器具。
【請求項５】
前記装飾部品は、表面の少なくとも一部にめっき処理が施された樹脂成形品であり、前記報知用スイッチは、前記装飾部品のめっき処理部位に接触可能な状態で前記土台部材にて離間配置された複数の導通治具であり、前記報知手段は、前記複数の導通治具がともに前記めっき処理部位に接触して導通状態となったときに前記複数の貫通孔が良好であると旨を報知することを特徴とする請求項４に記載の遊技機用部品検査器具。
【発明の詳細な説明】
【技術分野】
【０００１】
本発明は、遊技機の遊技盤に固定される台板の所定箇所に複数の貫通孔が形成された装飾部品を検査対象とし、前記複数の貫通孔の良否を判別するために用いられる遊技機用部品検査器具に関するものである。
【背景技術】
【０００２】
従来、遊技機の遊技盤には、入賞装置、センターの大型枠状部材、サイドランプ飾り等といった各種の部品が取り付けられており、通常それらの部品には何らかの装飾が施されている。このような装飾部品の一種であるサイドランプ飾りは、多数のＬＥＤが実装されたサイドランプ基板の手前側に設置される。サイドランプ飾りを構成する台板は樹脂成形品からなり、その所定箇所には各ＬＥＤの位置に対応して多数の貫通孔が形成されている。従って、それらの貫通孔を介して各ＬＥＤが視認可能となっている。
【０００３】
ところで、この種の装飾部品は製造時に成形不良が発生することがあり、その場合には一部の貫通孔が塞がることでＬＥＤが視認困難あるいは視認不能になることがある。そこで、従来では全ての装飾部品を目視検査し、ＬＥＤ視認用の貫通孔の良・不良を判別することで、不良品の出荷を未然に防ぐようにしている。
【０００４】
しかしながら、この種の貫通孔は数ミリ径と小さいため、その数が数十個になるような場合には、目視による検査では貫通孔の塞がりを見逃す可能性があった。また、作業者の熟練度にもよるが、目視検査には通常数十秒程度の時間が必要とされる。それゆえ、生産性を向上するためにも、できるだけ検査を短時間で行うことが望まれていた。また、熟練度の如何を問わず、誰が行っても同レベルの結果が確実に得られる検査手法が望まれていた。
【０００５】
そこで、目視のみに頼るのではなく、何らかの部品検査器具を用いて貫通孔の良否を判別することがよいと考えられる。しかしながら、そのような部品検査器具は現段階では具体的に提案されるに至っていない。ちなみに、貫通孔の良否判別を行う部品検査器具と直接関連性のあるものではないが、参考例として、例えば遊技盤における連釘の間隔、傾き、高さなどの画一的な調整化を図るための器具が従来知られている（例えば、特許文献１参照）。
【先行技術文献】
【特許文献】
【０００６】
【特許文献１】特開２００３−１０４６３１号公報
【発明の概要】
【発明が解決しようとする課題】
【０００７】
本発明は上記の課題に鑑みてなされたものであり、その目的は、比較的簡単な構造であるにもかかわらず、装飾部品が有する貫通孔の良否を短時間で確実に判別することができる遊技機用部品検査器具を提供することにある。
【課題を解決するための手段】
【０００８】
上記の課題を解決するために、請求項１に記載の発明は、遊技機の遊技盤に固定される台板の所定箇所に複数の貫通孔が形成された装飾部品を検査対象とし、前記複数の貫通孔の良否を判別するために用いられる遊技機用部品検査器具であって、検査対象とする前記装飾部品の前記台板と同形状をなし、前記複数の貫通孔と同位置にそれらと同径の複数の孔が形成されたベース部材と、複数の棒状部材とを備え、前記複数の孔に前記複数の棒状部材の基端側が挿通固定されるとともに、前記棒状部材の先端側が前記ベース部材から垂直に突設されていることを特徴とする遊技機用部品検査器具をその要旨とする。
【０００９】
従って、請求項１に記載の発明によると、部品検査器具に対して、検査対象となる装飾部品をそれと同じ向きで重ねて配置し、装飾部品が有する複数の貫通孔に複数の棒状部材を挿通させるようにする。このとき、複数の棒状部材が複数の貫通孔に完全に挿通され、部品検査器具のベース部材と装飾部品の台板とが平行な状態となれば、複数の貫通孔に何も異常がなく全て良好であると判別することができる。一方、複数の棒状部材が複数の貫通孔に完全には挿通されず、ベース部材に対して台板が傾いた状態となれば、複数の貫通孔のうちのいずれかに何らかの異常があるため良好ではないと判別することができる。よって、本発明の部品検査器具によれば、装飾部品が有する貫通孔の良否を、目視のみで検査する場合に比べて短時間で確実に判別することができる。また、本発明の部品検査器具は、基本的にベース部材と複数の棒状部材を備えるものにすぎないため、比較的簡単な構造とすることができる。
【００１０】
前記装飾部品としては、遊技盤に固定される台板に何らかの装飾が施されているとともに、その台板を貫通する複数の貫通孔が形成されているものが該当する。装飾の種類としては例えば塗装やめっき処理などが挙げられる。貫通孔の数は複数であれば特に限定されないが、例えば１０個以上の貫通孔を有するもの、特には２０個以上の貫通孔を有するものが、本発明の部品検査器具の好適な検査対象となる。複数の貫通孔の径は特に限定されないが、例えば５ｍｍφ以下の貫通孔を有するもの、特には４ｍｍφ以下の貫通孔を有するものが、本発明の部品検査器具の好適な検査対象となる。なお、複数の貫通孔の径は必ずしも全て同じでなくてもよく、異なっていてもよい。
【００１１】
また、装飾部品における貫通孔の用途は特に限定されないが、例えばＬＥＤ視認用の貫通孔であってもよいほか、台板自体を遊技盤にビス止めするための部品固定用の貫通孔や、台板に対して別の小部品などを取り付けるための小部品取付用の貫通孔などであってもよい。
【００１２】
本発明のベース部材としては、検査対象とする前記装飾部品の前記台板と同形状をなし、前記複数の貫通孔と同位置にそれらと同径の複数の孔が形成されたものであれば材質などを問わず広く使用可能であるが、検査対象とする装飾部品の台板そのものをベース部材として流用することが好適である。即ち、台板そのものであれば、基本的に同形状をなし、複数の貫通孔と同位置にそれらと同径の複数の孔が形成されているため、別途作製する必要がなく経済的だからである。また、ベース部材用の台板の形状等を参照しながら装飾部品の台板の向きを合わせて重ねることができるため、部品検査器具に対して装飾部品を重ねる作業を間違えずに正確に行うことができるからである。
【００１３】
棒状部材としては特に限定されず、複数の孔に挿通可能な細長い形状を有するものであれば、材質などを問わず選択することができるが、強度の点から例えば金属棒材などがよく、具体例としては遊技釘を流用することが好適である。遊技釘は適度かつ均一な長さ、太さ、強度を備えていることに加え、それほど高価な材料ではないため部品検査器具の製作費を抑えることができるからである。複数の孔には複数の棒状部材の基端側が挿通固定されるが、ホットボンド等の接合材を用いて挿通箇所を補強することが好ましい。
【００１４】
ベース部材は、特に何も支持固定しなくてもよいが、例えば別体として構成された土台部材に支持固定することが好適である。土台部材があると、部品検査器具を安定的に設置することが可能となるため、作業者が検査作業を容易に行うことができる。
【００１５】
請求項２に記載の発明は、請求項１において、前記部品検査器具を構成する前記ベース部材は、前記ベース部材よりも面積が大きい平板状の土台部材に支持固定されることをその要旨とする。
【００１６】
従って、請求項２に記載の発明によると、ベース部材よりも面積が大きい平板状の土台部材に部品検査器具が支持固定されることで、部品検査器具をいっそう安定的に設置することが可能となり、作業者が検査作業をより容易に行うことができるようになる。
【００１７】
請求項３に記載の発明は、請求項２において、前記土台部材は、前記遊技盤を構成する盤面部材であり、前記装飾部品は、検査対象とする前記装飾部品が前記盤面部材において本来固定される位置と同位置に固定されることをその要旨とする。
【００１８】
従って、請求項３に記載の発明によると、遊技盤を構成するいわゆるベニヤ等の盤面部材は、平板状であってベース部材よりも通常は面積が十分に大きいことから、部品検査器具を支持固定するための土台部材として好適な部材である。そして、このような盤面部材に部品検査器具を支持固定した際には、装飾部品の固定位置が実機での固定位置と同じになる。よって、例えば装飾部品が複数種類あるような場合でも、作業者は装飾部品の固定位置を感覚的にかつ正確に把握することができる。なお、１つの共通の盤面部材における複数の異なる箇所に部品検査器具を支持固定し、各々の部品検査器具を用いて複数種類の装飾部品を検査するようにしてもよい。
【００１９】
請求項４に記載の発明は、請求項２または３において、前記土台部材には、前記装飾部品との接触に基づいて前記複数の貫通孔の良否を報知する報知手段を構成する報知用スイッチが配設されていることをその要旨とする。
【００２０】
従って、請求項４に記載の発明によると、部品検査器具に対して装飾部品を重ねて配置し、複数の貫通孔に複数の棒状部材を挿通させた場合において、報知用スイッチが装飾部品の台板と接触したときには、報知手段による所定の報知が行われ、作業者は複数の貫通孔に何も異常がなく全て良好であると判別可能となる。一方、複数の棒状部材が複数の貫通孔に完全には挿通されず、台板に傾き等が生じて報知用スイッチが装飾部品の台板と接触しないときには、報知手段により別の報知が行われるか、あるいは報知自体が行われなくなる。それにより、作業者は複数の貫通孔のうちのいずれかに何らかの異常があるため良好ではないと判別可能となる。よって、本発明の部品検査器具によれば、装飾部品が有する貫通孔の良否を、目視のみで検査する場合に比べてより確実に判別することができる。
【００２１】
ここで、装飾部品の台板との接触・非接触状態を検知する報知用スイッチとしては、例えば近接スイッチをはじめとして、市販されている各種のスイッチ（超音波センサ、光センサ、磁気センサなど）を使用することが可能である。装飾部品の表面にめっき処理等が施されていて、接触により電気が流れるようなものである場合には、これらのもの以外に、例えば下記の導通治具などを使用することが可能である。
【００２２】
請求項５に記載の発明は、請求項４において、前記装飾部品は、表面の少なくとも一部にめっき処理が施された樹脂成形品であり、前記報知用スイッチは、前記装飾部品のめっき処理部位に接触可能な状態で前記土台部材にて離間配置された複数の導通治具であり、前記報知手段は、前記複数の導通治具がともに前記めっき処理部位に接触して導通状態となったときに前記複数の貫通孔が良好である旨を報知することをその要旨とする。
【００２３】
従って、請求項５に記載の発明によると、部品検査器具に対して装飾部品を重ねて配置し、複数の貫通孔に複数の棒状部材を挿通させた場合において、複数の導通治具が全て装飾部品の台板と接触したときには、めっきを介して各導通治具が導通状態となる。このとき、報知手段による所定の報知が行われ、作業者は複数の貫通孔に何も異常がなく全て良好であると判別可能となる。一方、複数の棒状部材が複数の貫通孔に完全には挿通されず、台板に傾き等が生じて複数の導通治具の少なくとも一部が装飾部品の台板と接触しないときには、各導通治具が導通状態とはならない。このとき、報知手段により別の報知が行われるか、あるいは報知自体が行われなくなる。それにより、作業者は複数の貫通孔のうちのいずれかに何らかの異常があるため良好ではないと判別可能となる。よって、本発明の部品検査器具によれば、装飾部品が有する貫通孔の良否を、目視のみで検査する場合に比べてよりいっそう確実に判別することができる。
【００２４】
報知手段としては、例えばＬＥＤの光やディスプレイ装置の画像等のように視覚に訴えて報知するもの、ブザーやスピーカから音を出すことで聴覚に訴えて報知するもの、振動を発生することで触覚に訴えて報知するもの等を適宜採用することができる。
【発明の効果】
【００２５】
以上詳述したように、請求項１〜５に記載の発明によれば、比較的簡単な構造であるにもかかわらず、装飾部品が有する貫通孔の良否を短時間で確実に判別することができる遊技機用部品検査器具を提供することができる。
【図面の簡単な説明】
【００２６】
【図１】本発明を具体化した実施形態の遊技機用部品検査器具の検査対象である装飾部品（サイドランプ飾り）が取り付けられた遊技盤を示す正面図。
【図２】上記装飾部品を取り外した状態の遊技盤を示す正面図。
【図３】（ａ）は上記装飾部品の平面図、（ｂ）は上記装飾部品の正面図、（ｃ）は上記装飾部品の底面図。
【図４】（ａ）は上記部品検査器具の平面図、（ｂ）は上記部品検査器具の正面図、（ｃ）は上記部品検査器具の底面図。
【図５】上記装飾部品、上記部品検査器具及び土台部材等の配置関係を示す分解斜視図。
【図６】上記部品検査器具の使用方法を説明するための概略図。
【図７】上記部品検査器具の使用方法を説明するための概略図。
【図８】上記部品検査器具の使用方法を説明するための概略図。
【発明を実施するための形態】
【００２７】
以下、本発明を具体化した一実施形態の遊技機用部品検査器具を図１〜図８に基づき説明する。
【００２８】
図１，図２には、パチンコ機（遊技機）における遊技盤１１が示されている。本実施形態の遊技盤１１は、いわゆるベニヤと呼ばれる木製の盤面部材１２の表面に樹脂製のセルを貼付することによって略矩形板状に形成されている。なお、遊技盤１１は、例えばアクリル樹脂製の盤面部材１２を用いて形成されたものであってもよい。遊技盤１１の遊技盤面１３には、遊技球が流下可能な遊技領域１４を区画する内レール１５及び外レール１６が略円形状に敷設されている。内レール１５と外レール１６との間に生じる発射経路には、操作ハンドルを操作した際に発射された遊技球が通過するようになっている。そして、発射経路を通過した遊技球は、発射経路の終端部から遊技領域１４に進入し、遊技領域１４内を流下するようになっている。
【００２９】
また、遊技盤面１３の略中央部には、開口部１７を有する枠状のセンター役物１８（装飾部材）が装着されている。なお、遊技盤１１の裏側には、図示しない液晶式の図柄表示装置が着脱自在に取り付けられるようになっている。図柄表示装置の表示画面は、センター役物１８の開口部１７を介して遊技盤１１の前面側から視認可能となる。この図柄表示装置では、変動表示（または画像表示）に基づく遊技演出（表示演出）が行われる。そして、この図柄表示装置では、表示演出に関連して、複数種類の演出図柄を３列で変動させる図柄組み合わせゲームが表示されるようになっている。図柄表示装置は、上記の液晶式のほか、ドットマトリクス式、エレクトロルミネッセンス素子式、７セグメント式などであってもよい。
【００３０】
図１，図２に示されるように、遊技盤面１３上におけるセンター役物１８の下方位置には、遊技盤面１３上を流下する遊技球が入賞可能な始動入賞装置２１が配設されている。装飾部品の一種でもある始動入賞装置２１には、始動入賞口２２が形成されるとともに、一対の羽根部材２３からなる普通電動役物が一体的に構成されている。一対の羽根部材２３は、普通電動役物ソレノイドの励磁作用により開閉するようになっている。また、始動入賞装置２１の奥方には、始動入賞口２２に入球した遊技球を検知する入賞スイッチ（図示略）が設けられている。なお、入賞信号が出力された場合には、特別図柄表示装置による図柄変動ゲームが行われるとともに、図柄表示装置による図柄組み合わせゲームが行われるようになっている。
【００３１】
遊技盤面１３上における始動入賞装置２１の下方には、遊技盤面１３上を流下する遊技球が入賞可能な大入賞装置２５が配設されている。装飾部品の一種でもある大入賞装置２５の奥方には、入賞した遊技球を検知するカウントスイッチ（図示略）が設けられている。カウントスイッチは、大入賞装置２５に入賞した遊技球を検知したことを契機として、オン状態となり、入賞信号を出力するようになっている。また、大入賞装置２５の大入賞口扉２６は、大入賞口ソレノイドの励磁作用により、遊技球を受け入れない閉鎖状態、及び、遊技球を受け入れやすい開放状態に切替可能になっている。本実施形態において、大入賞口扉２６の「閉鎖状態」とは、大入賞口扉２６が完全に閉じている状態をいい、大入賞口扉２６の「開放状態」とは、大入賞口扉２６が完全に開いた状態をいう。
【００３２】
始動入賞装置２１の左方かつ遊技盤面１３よりも奥側の位置には、図２に示されるように、多数のＬＥＤ３６が実装されたサイドランプ基板３７が配設されている。そして、このサイドランプ基板３７の手前側には、図１に示されるように、装飾部品の一種であるサイドランプ飾り４１が配設されている。このサイドランプ飾り４１は、遊技盤面１３上を流下する遊技球が入賞可能な一般入賞装置４２ａ〜４２ｃを備えている。一般入賞装置４２ａ〜４２ｃの奥方には、入賞した遊技球を検知する左下入賞口スイッチ（図示略）が設けられている。左下入賞口スイッチは、一般入賞装置４２ａ〜４２ｃに入賞した遊技球を検知したことを契機として、オン状態となり、入賞信号を出力するようになっている。
【００３３】
遊技領域１４内には風車３１が配設され、遊技領域１４の略全域には複数の遊技釘３２が植設されている。風車３１及び遊技釘３２は、遊技領域１４内を流下する遊技球の方向を変更するとともに、各入賞装置に向けて遊技球を誘導可能となっている。また、遊技領域１４の最下部には、いずれの入賞装置にも入賞しなかった遊技球を回収するためのアウト口３３が配設されている。
【００３４】
次に、本実施形態における検査対象である装飾部品としてのサイドランプ飾り４１の構造について説明する。
【００３５】
図１〜図３に示されるように、本実施形態のサイドランプ飾り４１を構成する台板４３は、平板状かつ細長い形状に形成された樹脂成形品である。この台板４３の表面及び裏面のほぼ全域には装飾のためにめっき処理が施され、これによりめっき処理部位４８が形成されている。本実施形態において、めっき処理部位４８は銀色を呈しており、かつ導電性を有している。台板４３には表面及び裏面を貫通する部品取付用の開口部４６が形成され、その開口部４６には同じく樹脂成形品である装飾板４７が取り付けられている。台板４３における所定の３箇所には、遊技球を表面側から裏面側に誘導するための遊技球通過孔５１がそれぞれ形成されている。台板４３の表面側かつ各々遊技球通過孔５１の周囲には遊技球通路となる凸部５２が一体的に突設され、かつその先端にはカバー部材５３が設けられ、これにより上述した一般入賞装置４２ａ〜４２ｃが構成されている。
【００３６】
台板４３において開口部４６を挟んで各遊技球通過孔５１の反対側となる位置には、多数のＬＥＤ視認用の貫通孔４４が形成されている。図２に示されるように、これらの貫通孔４４は、サイドランプ飾り４１の奥側に位置する各ＬＥＤ３６の位置に対応して配置されている。従って、各ＬＥＤ３６の発光演出時には、それらの貫通孔４４を介して各ＬＥＤ３６の光が視認できるようになっている。なお、本実施形態では、サイドランプ基板３７におけるＬＥＤ３６の数が２８個であるため、ＬＥＤ視認用の貫通孔４４の数もそれに合わせて２８個となっている。また、貫通孔４４の径は約４ｍｍφとなっている。なお、台板４３の裏面側には、これらの貫通孔４４を包囲するような壁部５０が一体的に突設されている。
【００３７】
図３等に示されるように、台板４３の外周部における離間した４箇所には、ＬＥＤ視認用の貫通孔４４よりも小径の貫通孔４５が形成されている。これらの貫通孔４５は、台板４３自体を遊技盤１１の遊技盤面１３にビス止めするための部品固定用の貫通孔４５である。また、台板４３の裏面側において各貫通孔４５の近傍には、台板４３を遊技盤面１３に位置決めする際に用いる位置決め突起４９がそれぞれ設けられている。
【００３８】
次に、本実施形態における部品検査器具６１の構造について説明する。
【００３９】
本実施形態の部品検査器具６１は、台板４３に多数のＬＥＤ視認用の貫通孔４４が形成された上記サイドランプ飾り４１を検査対象とし、各貫通孔４４の良否を判別するために用いられるものでる。図４，図５，図６に示されるように、部品検査器具６１を構成するベース部材６３は、検査対象とする上記サイドランプ飾り４１の台板４３と基本的に同形状をなしている。ベース部材６３においてＬＥＤ視認用の貫通孔４４と同位置には、それらと同径の複数の孔６４が同じ数だけ形成されている。本実施形態のベース部材６３では、台板４３と共通の構成について同一の部材番号を付してある。
【００４０】
この部品検査器具６１は、複数の棒状部材として複数本の遊技釘６２を備えている。これらの遊技釘６２はベース部材６３の裏面側から各孔６４に挿通され、その基端側がベース部材６３に対して固定されている。ベース部材６３の表面側において各遊技釘６２が挿通された箇所は、ホットボンドＢ１等の接合材（いわゆるホットメルト型接着剤）で被覆されることにより補強されている。その結果、各遊技釘６２の先端側は、ベース部材６３の表面側にて垂直に突設された状態となっている。ベース部材６３の表面側には凸部５２が存在するものの各遊技釘６２の突出量のほうが大きくなっている。
【００４１】
図５等に示されるように、本実施形態の部品検査器具６１は、別体として構成された土台部材としての樹脂板７１に支持固定されている。この樹脂板７１は、ベース部材６３よりも面積が３〜５倍程度大きい矩形平板状の部材であり、その中央部にはベース部材６３の裏面側に突設された壁部５０を逃がすための逃がし孔７２が形成されている。逃がし孔７２の開口縁付近において、各貫通孔４５に対応した位置にはネジ孔７３が設けられ、各位置決め突起４９に対応した位置には位置決め凹部７４が設けられている。樹脂板７１上に部品検査器具６１を支持した状態で、貫通孔４５及びネジ孔７３を介してネジ７５を挿通することにより（図６等参照）、部品検査器具６１が樹脂板７１に対して固定されている。
【００４２】
図５，図６に示されるように、土台部材である樹脂板７１の上面における離間した２箇所には、治具支持体７８が取り付けられている。報知用スイッチである一対の導通治具７６は、それら治具支持体７８を介して水平かつ同じ高さに支持固定されている。一対の導通治具７６の端子部７７は逃がし孔７２の方向を向いており、その先端はベース部材６３の外形線よりも内側に到っている。従って、一対の端子部７７は、検査時においてサイドランプ飾り４１の裏面外周部にあるめっき処理部位４８に接触可能な状態となっている。また、一対の導通治具７６は、細長い形状をなすサイドランプ飾り４１の長手方向に離れた両端部に対応して配置されている。
【００４３】
図６等にて概略的に示されるように、本実施形態では、一対の導通治具７６、直流電源である乾電池８１、ブザー８２、発光手段であるＬＥＤ８３、図示しないリレー等により報知手段が構成されている。図面作成の便宜上、図６等では一本の配線によりこれらを直列接続した状態で表現したが、実際には従来公知のリレー回路が構成されている。つまり、通常は非導通状態である一対の導通治具７６間が導通状態になると、ＯＦＦ状態であったリレーがＯＮ状態に切り替わり、当該リレーに接続されたブザー８２及びＬＥＤ８３に電気が流れてそれらが作動するような回路構成となっている。即ち、この報知手段では、ブザー８２の発するブザー音とＬＥＤ８３が発する光とにより、一対の導通治具７６間が導通している旨が報知され、ひいては各ＬＥＤ視認用の貫通孔４４が良好である旨が報知されるようになっている。
【００４４】
続いて、本実施形態の部品検査器具６１を用いた検査方法について説明する。
【００４５】
サイドランプ飾り４１の検査をする場合、まず、水平に設置された部品検査器具６１の上方に、検査対象となるサイドランプ飾り４１を移動させる（図６参照）。このとき、両端子部７７はどこにも接触しておらず、一対の導通治具７６間は非導通状態となっている。次に、部品検査器具６１のベース部材６３と、サイドランプ飾り４１の台板４３とが平行かつ同じ向きになるように位置調整し、部品検査器具６に対してサイドランプ飾り４１を重ねるようにして配置する（図７参照）。その際、サイドランプ飾り４１が有する複数の貫通孔４４に複数の遊技釘６２を挿通させるようにする。
【００４６】
図７に示されるように、各遊技釘６２が各貫通孔４４に完全に挿通可能である場合には、台板４３の裏面側に一対の導通治具７６の端子部７７がともに接触し、台板４３がその高さ位置に止まる。その結果、部品検査器具６１のベース部材６３とサイドランプ飾り４１の台板４３とが平行な状態に保持されるとともに、めっきを介して一対の導通治具７６間が導通状態となる。このとき、報知手段のブザー８２がブザー音を発するとともにＬＥＤ８３が発光するため、作業者は音と光とによる報知に基づいて、各ＬＥＤ視認用の貫通孔４４が良好であると判別することができる。
【００４７】
図８に示されるように、製造時の成形不良により、貫通孔４４の開口にバリ８５が残っていたり、あるいは孔自体が塞がっていたりする場合には、各遊技釘６２が各貫通孔４４に完全には挿通されなくなる。このとき、サイドランプ飾り４１の台板４３に傾きが生じて、台板４３の裏面が端子部７７の高さ位置まで到らないで止まってしまうことがある。すると、台板４３の裏面側にいずれかの導通治具７６の端子部７７が接触できなくなり、一対の導通治具７６間が非導通状態を維持したままとなる。よって、報知手段のブザー８２及びＬＥＤ８３が作動せず、作業者はこの事実に基づいて、各ＬＥＤ視認用の貫通孔４４のいずれかに何らかの異常があり、良好なものではないと判別することができる。
【００４８】
従って、本実施形態によれば以下のような効果を得ることができる。
【００４９】
（１）本実施形態の部品検査器具６１では、部品検査器具６１に対して、検査対象となるサイドランプ飾り６１をそれと同じ向きで重ねて配置し、各貫通孔４４に遊技釘６２を挿通させる、という単純な方法で検査を行うことを特徴としている。それにも関わらず、サイドランプ飾り６１が有する貫通孔４４の良否を、目視のみで検査する場合に比べて短時間で確実に判別することができる。ちなみに、径が４ｍｍφの貫通孔４４を２０〜３０個程度有するサイドランプ飾り６１を例にすると、従来の目視検査では検査時間が数十秒必要であったが、本実施形態によれば数秒で足りる。ゆえに、検査時間の大幅な短縮を図ることができ、生産性の向上につながる。また、本実施形態の部品検査器具６１は、基本的にベース部材６３と複数の遊技釘６２を備えるものにすぎないため、比較的簡単な構造とすることができ、コスト高を回避することができる。
【００５０】
（２）本実施形態では、部品検査器具６１を構成するベース部材６３は、ベース部材６３よりも面積が大きい樹脂板７１上に支持固定されている。従って、何も支持体がないときに比べて部品検査器具６１をいっそう安定的にかつ水平に設置することが可能となる。ゆえに、作業者が検査作業をより容易に行うことができるようになる。
【００５１】
（３）本実施形態では、表面の少なくとも一部にめっき処理が施された樹脂成形品であるサイドランプ飾り４１を検査対象としているため、報知用スイッチとして導通治具７６を選択することができる。従って、一対の導通治具７６を用いて報知手段を構成することが可能となり、両導通治具７６間の導通・非導通によって貫通孔４４の良否を確実に報知することができる。よって、本実施形態の報知手段によれば、貫通孔４４の良否を、目視のみで検査する場合に比べてよりいっそう確実に判別することができる。しかも、このような報知手段があれば、視覚及び聴覚の両方を通じて貫通孔４４の良否を把握できるため、作業者の熟練度の如何を問わず、誰が行っても同レベルの結果を確実に得ることができる。
【００５２】
なお、本発明の実施形態は以下のように変更してもよい。
【００５３】
・上記実施形態では、土台部材として図５等に示したような樹脂板７１を使用したが、樹脂板７１のみに限定されず、金属板、ガラス板、木板などといった板材を使用してもよい。また、これらの板材の大きさや平面視形状などは特に限定されず任意に変更することが可能である。
【００５４】
・上記実施形態のような樹脂板７１に代えて、例えば遊技盤１１を構成する盤面部材１２を土台部材として流用してもよい。この場合において、部品検査器具６１は、装飾部品であるサイドランプ飾り４１が当該盤面部材１２において本来固定される位置と同位置に固定されることが望ましい。具体的にいうと、部品検査器具６１は、図１，図２の遊技盤１１において最下部かつ左方寄りの位置、つまり始動入賞装置２１が固定されるべき位置の左方位置に固定されることがよい。なお、混同を避けるために盤面部材１２上には、部品検査器具６１のみを固定し、それ以外の部品を非固定としておくことが好ましい。
【００５５】
・上記実施形態では、サイドランプ飾り４１を検査対象としたがこれとは異なる装飾部品を検査対象としてもよい。
【００５６】
・上記実施形態では、ブザー８２及びＬＥＤ８３を用いて報知手段を構成したが、これら以外の部品を用いて構成してもよい。また、報知手段の電源として乾電池（直流電源）を用いたが、交流電源を用いてもよい。
【００５７】
・上記実施形態では、棒状部材として遊技釘６２を用いて部品検査器具６１を構成したが、遊技釘６２以外の金属棒材を用いてもよく、あるいは金属以外の材料からなる棒材を用いてもよい。
【００５８】
・上記実施形態では、部品検査器具６１のベース部材６３をネジ７５にて樹脂板７１に固定していたが、別の方法（例えば接着剤による接着等）にて固定してもよい。
【００５９】
次に、特許請求の範囲に記載された技術的思想のほかに、前述した実施形態によって把握される技術的思想を以下に列挙する。
【００６０】
（１）請求項１乃至４のいずれか１項において、前記装飾部品は、表面の少なくとも一部にめっき処理が施された樹脂成形品であること。
【００６１】
（２）請求項１乃至５のいずれか１項において、前記装飾部品は、サイドランプ基板の手前側に配置されるサイドランプ飾りであり、前記複数の貫通孔は、前記サイドランプ基板に実装された複数のＬＥＤに対応して形成されたＬＥＤ視認用の貫通孔を含むこと。
【００６２】
（３）請求項１乃至５のいずれか１項において、検査対象となる前記複数の貫通孔の数は１０個以上であり、径は５ｍｍφ以下であること。
【００６３】
（４）請求項１乃至５のいずれか１項において、前記棒状部材は金属棒材であること。
【００６４】
（５）請求項１乃至５のいずれか１項において、前記棒状部材は遊技釘であること。
【００６５】
（６）請求項１乃至５のいずれか１項において、前記棒状部材は遊技釘であり、前記ベース部材としての台板の裏面側から前記孔に挿通固定されていること。
【００６６】
（７）請求項１乃至５のいずれか１項において、前記棒状部材は遊技釘であり、前記ベース部材としての台板の裏面側から前記孔に挿通固定されるとともに、前記ベース部材の上面側にてホットボンドで前記ベース部材の前記孔に接着固定されていること。
【符号の説明】
【００６７】
１１…遊技盤
４１…装飾部品としてのサイドランプ飾り
４３…台板
４４…（ＬＥＤ視認用の）貫通孔
４８…めっき処理部位
６１…遊技機用部品検査器具
６２…棒状部材としての遊技釘
６３…ベース部材
６４…孔
７１…土台部材としての樹脂板
７６…報知用スイッチとしての導通治具
【図１】
2014100237.tif 000003
【図２】
2014100237.tif 000004
【図３】
2014100237.tif 000005
【図４】
2014100237.tif 000006
【図５】
2014100237.tif 000007
【図６】
2014100237.tif 000008
【図７】
2014100237.tif 000009
【図８】
2014100237.tif 000010